(57)【要約】【課題】組み立てを簡単に行え、かつ分解したときにはコンパクトにまとめることができる網籠を提供する。【解決手段】側壁部１および天井部２を有する網籠本体３と、この網籠本体３を支持する架台部４とを備えた網籠Ｄであって、前記側壁部１が、折曲部分または湾曲部分が設けられた複数の網状体６，６と、左右両端部がそれぞれ前記網状体６，６の左右端部に接続される板状体７，７とを有し、接続された板状体７，７の左右端部と網状体６，６の左右端部とがほぼ面一となるように構成した。【選択図】      図１
2004180598.tif 000002
【特許請求の範囲】
【請求項１】
側壁部および天井部を有する網籠本体と、この網籠本体を支持する架台部とを備えた網籠であって、前記側壁部が、折曲部分または湾曲部分が設けられた複数の網状体と、左右両端部がそれぞれ前記網状体の左右端部に接続される板状体とを有し、接続された板状体の左右端部と網状体の左右端部とがほぼ面一となるように構成したことを特徴とする網籠。
【請求項２】
前記板状体が光透過性を有する材料からなる請求項１に記載の網籠。
【請求項３】
前記網状体を２つ有し、各網状体が平面視ほぼコの字形状となるように形成されている請求項１または２に記載の網籠。
【発明の詳細な説明】
【０００１】
【発明の属する技術分野】
本発明は、例えば、小鳥やリス、ハムスター、二十日鼠などの小動物の飼育に用いられる網籠に関する。
【０００２】
【従来の技術】
従来の網籠として、平面視ほぼ矩形状の天井部およびこの天井部に接続される側壁部を有する網籠本体と、この網籠本体を支持する架台部とを備え、前記側壁部が、４枚のほぼ矩形状の網状体からなり、各網状体のそれぞれの左右両端部どうしを互いに接続してなるものがある。
【０００３】
しかし、上記網籠では、各網状体の端部どうしの接続を、互いに９０度の角度をなすように行う必要があり、２つの網状体を手で持って前記角度が変わらないように規制しつつ架台部に取り付けるという作業を行うのは難しく、組み立てに手間と時間がかかるという問題があった。
【０００４】
また、他の網籠として、本出願人の出願に係る特願２００１−３２１８３６の明細書および図面に示すように、側壁部および天井部を有する網籠本体と、この網籠本体を支持する架台部とを備え、前記側壁部が、ほぼ矩形状の中央部分およびこの中央部分の左右にほぼ９０度折れ曲がるように連設された２つの矩形部分を有する平面視がほぼコの字形状である２つの網状体からなり、２つの網状体のそれぞれの左右両端部を１８０度の角度をなすように互いに接続するようにしたものもある。
【０００５】
上記の構成からなる網籠では、接続される２つの網状体の左右端部どうしがほぼ面一となるため、２つの網状体を手で持って前記角度が変わらないように規制しつつ架台部に取り付けるという作業は比較的簡単に行え、組み立てを早く行えるという利点を有している。
【０００６】
【発明が解決しようとする課題】
しかし、上記の構成からなる網籠では、前記網状体の２つの矩形部分の幅が大きかったことから、運搬時や収納時など、分解したときに、前記２つの網状体が嵩張り、コンパクトにまとめられないという問題があった。
【０００７】
本発明は、上記の事柄に留意してなされたものであって、その目的は、組み立てを簡単に行え、かつ分解したときにはコンパクトにまとめることができる網籠を提供することである。
【０００８】
【課題を解決するための手段】
上記の目的を達成するために、本発明の網籠は、側壁部および天井部を有する網籠本体と、この網籠本体を支持する架台部とを備えた網籠であって、前記側壁部が、折曲部分または湾曲部分が設けられた複数の網状体と、左右両端部がそれぞれ前記網状体の左右端部に接続される板状体とを有し、接続された板状体の左右端部と網状体の左右端部とがほぼ面一となるように構成した（請求項１）。
【０００９】
さらに、前記網状体を２つ有し、各網状体が平面視ほぼコの字形状となるように形成されているとしてもよい（請求項３）。
【００１０】
上記の構成からなる網籠では、側壁部において所定の角度に屈曲（または湾曲）させる必要がある箇所を含む部分を前記網状体にのみ設け、接続した状態の網状体の左右端部および板状体の左右端部どうしがほぼ面一となるように構成してあることから、網状体および板状体を手で持って前記角度が変わらないように規制しつつ架台部に取り付けるという作業を比較的簡単に行え、従って、網籠の組み立てを早くかつ簡単に行えるのである。
【００１１】
また、前記網状体どうしを直接接続するのではなく、板状体を介して接続するようにしてあり、平面視ほぼコの字形状の網状体の後述する短矩形部分の幅を小さくすることができるため、網状体が嵩張ることなく、運搬時や収納時など、分解したときにはコンパクトにまとめることができる。
【００１２】
また、前記板状体が光透過性を有する材料からなるとしてもよい（請求項２）。
【００１３】
【発明の実施の形態】
以下、本発明の実施の形態を図面に基づいて説明する。
図１は、本発明の一実施例に係る網籠Ｄの構成を概略的に示す分解斜視図、図２および図３は、前記網籠Ｄの要部の構成を概略的に示す分解斜視図および縦断面図である。
網籠Ｄは、側壁部１および天井部２を有する網籠本体３と、この網籠本体３を支持する架台部４と、この架台部４内に配置される底網部５とを備えている。
【００１４】
前記側壁部１は、折曲部分または湾曲部分が設けられた複数（本実施例では２つ）の網状体６，６と、左右両端部がそれぞれ前記網状体６，６の左右端部に接続される２枚の板状体７，７とを有し、接続された板状体７の左右端部と網状体６の左右端部とがほぼ面一となるように構成してある。
【００１５】
前記網状体６は、ほぼ矩形状の中央部分６ａと、この中央部分６ａの左右にほぼ９０度折れ曲がるように連設された短矩形部分６ｂ，６ｂとを有する平面視ほぼコの字形状の部材である。
【００１６】
前記中央部分６ａの上部は、前記短矩形部分６ｂ，６ｂの上端部よりも上方に突出した状態となっており、上部の左右端部はそれぞれ、湾曲状に切り欠かれている。
【００１７】
また、前記中央部分６ａおよび短矩形部分６ｂ，６ｂの上端部にはそれぞれ、外側に向かって突出する爪状の係止手段８が設けられている。
【００１８】
さらに、前記２つの網状体６，６の一方の網状体６の中央部分６ａには、上下方向にスライドさせることにより開閉する扉部分６ｃが複数（本実施例では３つ）設けられている。なお、前記扉部分６ｃを、一方の網状体６の中央部分６ａのみではなく、短矩形部分６ｂに設けてもよいし、他方の網状体６に設けてもよい。また、前記扉部分６ｃは、上下方向にスライドさせることにより開閉するものに限られない。
【００１９】
図４（Ａ）および（Ｂ）は、前記板状体７の構成を概略的に示す斜視図および横断面図である。
前記板状体７は、例えば、アクリルニトリルスチレン（ＡＳ）やポリスチレン（ＰＳ）などのプラスチック樹脂であって光透過性を有する材料からなり、本実施例では、ほぼ透明または半透明となるように形成されている。なお、前記板状体７を、例えば、ほぼ半透明となるように形成してもよい。そして、板状体７は、ほぼ矩形の平板状に形成されており、その周縁部には、網状体６の左右端部に接続されるジョイント部分９が設けられている。
【００２０】
前記ジョイント部分９は、板状体７の周縁部（本実施例では板状体７の左右両縁部）に設けられ、板状体７の側方に突出する突出部材９ａ，９ｂからなる。詳しくは、一方の突出部材９ａは、板状体７の一面側（表面側）に設けられており、他方の突出部材９ｂは、板状体７の他面側（裏面側）に設けられており、本実施例では、板状体７の左右両縁部のそれぞれ上部、中央部および下部に、一対ずつ設けられている。また、前記突出部材９ａ，９ｂの先端部にはそれぞれ、前記網状体６の左右端部を係止する係止部１０としての突起部分が設けられている。
【００２１】
前記天井部２は、平面視ほぼ矩形状または正方形状をした網状の部材からなり、その一端部および他端部が下方に湾曲し、前記側壁部１の上端部に沿わせて接続できるように形成されている。また、天井部２は、その上面中央に把手部分２ａを有している。
【００２２】
そして、前記側壁部１および天井部２からなる網籠本体３は、下部が開放された（底壁を有さない）箱状を呈するのである。
【００２３】
前記架台部４は、平面視がほぼ矩形状または正方形状をしており、その側壁には、上側から順に、内側に向かって狭まる２つの段差部１１，１２が設けられている。
【００２４】
上側の段差部１１には、前記網籠本体３（側壁部１）の下端部が載置されるのであり、載置された網籠本体３（側壁部１）が段差部１１から抜けることを防止するための複数の抜け止め片１３，１３…が架台部４の側壁の上部の適宜の箇所に形成されている。
【００２５】
また、架台部４の側壁の一面には開口１４が形成されているとともに、この開口１４から架台部４の内外に出し入れできるトレー１５が設けられている。
【００２６】
前記底網部５は、ほぼ矩形状または正方形状をした網状の部材であり、その周縁が前記段差部１２の上面に当接した状態で、架台部４の内部に収容される。
【００２７】
次に、上記の構成からなる網籠Ｄの組み立て方法について説明する。
前記網籠Ｄを組み立てるには、以下の（１）〜（４）の操作を行えばよい。
まず、（１）前記底網部５を前記架台部４の段差部１２上に配置するとともに、（２）前記網状体６，６と板状体７，７とを接続して側壁部１を形成する。なお、網状体６と板状体７との接続は、板状体７の左右端部に形成されたジョイント部９に網状体６の左右端部を差し込むことによって行うことができ、これにより、網状体６の左右端部と板状体７とは互いに１８０度の角度をなす状態で接続されることとなる。
【００２８】
続いて、（３）上記のように形成した側壁部１の下端部を架台部４の段差部１１の上面に載置し、前記抜け止め片１３，１３…を側壁部１の下端部に係止させ、最後に、（４）前記側壁部１の上端部に前記天井部２を接続することにより、網籠Ｄの組み立てが完了する。なお、側壁部１と天井部２との接続は、側壁部１の上端部に形成された係止手段８，８…を天井部２の周縁部に係止させることによって行うことができる。
【００２９】
ここで、前記網籠Ｄの組み立ては、（１）〜（４）の順序で操作を行う必要はなく、適宜に順序を変えて行うことができる。
【００３０】
上記の構成からなる網籠Ｄでは、側壁部１において所定の角度に屈曲（または湾曲）させる必要がある箇所を含む部分を前記網状体６，６にのみ設け、接続した状態の網状体６の左右端部および板状体７の左右端部どうしがほぼ面一となるように構成してあることから、網状体６，６および板状体７，７を手で持って前記角度が変わらないように規制しつつ架台部４に取り付けるという作業を比較的簡単に行え、従って、網籠Ｄの組み立てを早くかつ簡単に行えるのである。
【００３１】
また、前記網籠Ｄでは、網状体６，６どうしを直接接続するのではなく、板状体７，７を介して接続するようにしてあり、平面視ほぼコの字形状の各網状体６の前記短矩形部分６ｂ，６ｂの幅を小さくすることができるため、網状体６，６が嵩張ることなく、運搬時や収納時など、分解したときにはコンパクトにまとめることができる。
【００３２】
さらに、前記網籠Ｄでは、前記板状体７，７をほぼ透明となるように形成してあることから、網籠Ｄの内側を見る際に、前記板状体７，７を通してみることにより、網状体６，６の網の目を通して見るよりも、はっきりと内部の様子を見ることができ、網籠Ｄ内において飼育している飼育対象（動物など）の様子をより正確に知ることができるのである。
【００３３】
なお、上記実施例の網籠Ｄでは、前記網状体６は、縦に長い網目を有しているが、このような構成に限るものではなく、横に長い網目を有していてもよく、縦横の幅がほぼ等しい網目を有していてもよい。
【００３４】
また、上記実施例の網籠Ｄでは、前記網籠本体３が、底の無いほぼ直方体形状または立法体形状の箱体を呈するように構成してあるが、このような構成に限るものではなく、例えば、底の無い多角柱形状の箱体を呈するように形成してもよく、さらに、前記網籠本体３における板状体７よりも上側に相当する部分を、ドーム状や四角錐状などに形成してもよいのである。
【００３５】
図５（Ａ），（Ｂ）および（Ｃ）は、前記板状体７の変形例の構成を概略的に示す斜視図，縦断面図および説明図である。
上記実施例の網籠Ｄでは、前記網状体６に開閉自在な扉部分６ｃを設けてあることから、この扉部分６ｃの内側に相当する位置に、図示しない餌用の容器や水用の容器を配置し、前記扉部分６ｃを開けて餌や水を前記容器内に補給することで、網籠Ｄ内の飼育対象を飼育できる。しかし、例えば、網籠Ｄ内に鳥を飼っている場合、この鳥が羽ばたいたりすると、前記容器内の餌や水が前記羽ばたきによって生じた風により、網状体６の網目を通り抜け、網籠Ｄの周辺にまで飛散してしまうおそれがある。
【００３６】
そこで、上記のような飛散を防止するために、図５（Ａ）〜（Ｃ）に示すように、前記板状体７に開閉自在な扉部分７ａを設け、この扉部分７ａの内側に相当する位置に餌用や水用の容器１６を配置してもよい。
【００３７】
前記扉部分７ａは、前記板状体７に設けられたガイド７ｂ，７ｂに沿って上下方向にスライドする。また、板状体７におけるガイド７ｂ，７ｂの間には開口７ｃが形成されており、この開口７ｃの下側には、前記扉部分７ａの落下を防止するための係止部７ｄが設けられている。
【００３８】
また、扉部分７ａは、透明な板状部分７ｅと、この板状部分７ｅの周縁を保持する枠部分７ｆとを有し、枠部分７ｆの上部には把手部分７ｇが設けられている。なお、扉部分７ａは、このような構成を有するものに限られない。
【００３９】
上述のように、板状体７に扉部分７ａを設け、この扉部分７ａの内側に相当する位置に餌用や水用の容器１６を配置した場合には、例えば、網籠Ｄ内に鳥を飼っていて、この鳥が羽ばたいたりしても、前記容器内の餌や水が前記羽ばたきによって生じた風により、網状体６の網目を通り抜け、網籠Ｄの周辺にまで飛散してしまうということを防止でき、餌や水は網籠Ｄ内で飛散するに止めることが可能となる。
【００４０】
なお、図１〜図５に示す実施例では、前記板状体７の左右両縁部のみにジョイント部分９を設けているが、このような構成に限るものではなく、例えば、図６に示すように、板状体７の上縁部にも前記ジョイント部分９を設け、この板状体７の上縁部に設けたジョイント部分９により、板状体７と天井部２とを接続するようにしてもよい。
【００４１】
また、複数ある前記突出部材９ａ，９ｂの全てをほぼ均一の長さとせずに、適宜に長さを変えてもよい。例えば、図６に示すように、板状体７の左右縁部にそれぞれ４つの突出部材９ａ，９ａ…を設け、上下にある２つの突出部材９ａ，９ａの長さよりも、中央にある２つの突出部材９ａ，９ａの長さを長くしてもよい。
【００４２】
【発明の効果】
以上説明したように、上記の構成からなる本発明によれば、組み立てを簡単に行え、かつ分解したときにはコンパクトにまとめることができる網籠を提供することが可能となる。
【００４３】
すなわち、上記網籠Ｄでは、前記側壁部１において所定の角度に屈曲（または湾曲）させる必要がある箇所を含む部分を前記網状体６，６にのみ設け、接続した状態の網状体６の左右端部および板状体７の左右端部どうしがほぼ面一となるように構成してあることから、網状体６，６および板状体７，７を手で持って前記角度が変わらないように規制しつつ架台部４に取り付けるという作業を比較的簡単に行え、従って、網籠Ｄの組み立てを早くかつ簡単に行えるのである。
【００４４】
また、前記網籠Ｄでは、網状体６，６どうしを直接接続するのではなく、板状体７，７を介して接続するようにしてあり、平面視ほぼコの字形状の各網状体６の前記短矩形部分６ｂ，６ｂの幅を小さくすることができるため、網状体６，６が嵩張ることなく、運搬時や収納時など、分解したときにはコンパクトにまとめることができる。
【図面の簡単な説明】
【図１】本発明の一実施例に係る網籠の構成を概略的に示す分解斜視図である。
【図２】上記実施例の要部の構成を概略的に示す分解斜視図である。
【図３】上記実施例の要部の構成を概略的に示す縦断面図である。
【図４】（Ａ）および（Ｂ）は、上記実施例における板状体の構成を概略的に示す斜視図および横断面図である。
【図５】（Ａ），（Ｂ）および（Ｃ）は、前記板状体の変形例の構成を概略的に示す斜視図，縦断面図および説明図である。
【図６】前記板状体の更なる変形例の構成を概略的に示す斜視図である。
【符号の説明】
１…側壁部、２…天井部、３…網籠本体、４…架台部、６…網状体、７…板状体、Ｄ…網籠。
【図１】
2004180598.tif 000003
【図２】
2004180598.tif 000004
【図３】
2004180598.tif 000005
【図４】
2004180598.tif 000006
【図５】
2004180598.tif 000007
【図６】
2004180598.tif 000008